(57)【要約】【課題】複数の段状の壇を迅速、確実かつ容易に展開、折りたたみ、移動できるようにする。【解決手段】左右１対の昇降筒１、１、支柱１′、１′、第１連結部材２、２′、支腕３、３′、各昇降筒１内を貫通する支脚６および支脚６の一部に巻装したコイルバネ９、昇降するキャスター５、５により高低差を有する支持構造体Ｘ、Ｚおよび前記支柱１′、１′、第１連結部材２′、支腕３′を有する支持構造体Ｙを形成し、壇板１０を構成する前後段の細長板１０′、１０′を支腕３、３′および外方支脚１２に回動自在に連結し、中段の細長板１０′を支腕３′、外方支脚１２に回動自在に連結し、各段の外方支脚１２、１２を連結する第３連結材１３を支柱１′に第４連結材１４で回動自在に連結し、次段同士の細長板１０′、１０′を第５連結材１５で回動自在に連結する。【選択図】        図１
2004176517.tif 000002
【特許請求の範囲】
【請求項１】
垂直に起立する左右１対の昇降筒および支柱を複数組設け、前記複数組の昇降筒および支柱を前後方向において高低差をつけるとともに間隔をおいて並設し、前記左右１対の各昇降筒および支柱をそれぞれ中央で離間するとともに水平な第１連結材で連結し、前記第１連結材の両端近傍に１対の支腕を一体的かつ上向に突設し、前後に配した高低差を有する前記各昇降筒および支柱の下方を左右それぞれ水平な第２連結材で連結し、前記各第２連結材の前後に１対のキャスターを取付け、前記高低差を有する各昇降筒に高低差を有する支脚をそれぞれ対応させて貫通し、各支脚の頭部に上面が平滑なバネ受を設けて一体化するとともに底部に前記各昇降筒より径大の接床キャップを取付け、前記各昇降筒から突出している支脚部分にコイルバネを巻装し、前記コイルバネの上端をバネ受の下面に設け、前記コイルバネの下端を前記昇降筒の上端に係止し、また左右１対の細長板からなる壇板を複数組設け、前記各１対の細長板の内方下面を前記支腕の上端に回動自在に取付け、下端に凸弧面を形成した押しピンを細長板の下面で、かつ前記各バネ受けに対応する位置に垂直に突設し、前記押しピンの下端を前記各バネ受の上面に置き、各細長板の外方下面に高低差を有する外方支脚を前後方向に低い順に間隔をおくとともに回動自在に取付け、前記複数の外方支脚を第３連結材で連結し、少なくとも左右１対の第４連結材の各端部を前記第３連結材および前記支柱若しくは前記昇降筒にそれぞれ回動自在に取付け、前記各細長板の内方および外方下面に次段の細長板同士を連結する第５連結材の各端部を回動自在に取付け、さらに前記各細長板の内端面を下方に行くに従い外向きに切除し、しかも各１対の前記細長板の内端上縁を線接触させることを特徴とする多目的ひな壇。
【発明の詳細な説明】
【０００１】
【発明の属する技術分野】
本発明は人間が乗って写真撮影、合奏、合唱等をしたり、或いは作品等を載せて展示する等、多目的に使用される階段状の壇に関する。
【０００２】
【従来の技術】
従来からこの種のひな壇として図９、１０で示すような高低の異なる３種の箱状体ａ、ｂ、ｃを階段状に並べて使用し、また不使用時には箱状体ｂ、ｃの背面に形成した各切欠部ｂ′、ｃ′に箱状体ａ、ｂを収納している。この収納および設置の際には２人の人間が向きあって各指掛孔ｄに手を入れ、持ち上げながら運搬しなければならない。
【０００３】
【発明が解決しようとする課題】
本発明は使用時および不使用時の際に迅速、確実かつ容易に展開、折りたたみをできるようにし、また容易かつ迅速に移動できるようにし、さらにこれらの作業を１人でもできるようにすることを課題とする。
【０００４】
【課題を解決するための手段】
本発明は垂直に起立する左右１対の昇降筒および支柱を複数組設け、前記複数組の昇降筒および支柱を前後方向において高低差をつけるとともに間隔をおいて並設し、前記左右１対の各昇降筒および支柱を中央で離間するとともに水平な第１連結材で連結し、前記第１連結材の両端近傍に１対の支腕を一体的かつ上向に突設し、前後に配した高低差を有する前記各昇降筒および支柱の下方を左右それぞれ水平な第２連結材で連結し、前記各第２連結材の前後に１対のキャスターを取付け、前記高低差を有する各昇降筒に高低差を有する支脚をそれぞれ対応させて貫通し、各支脚の頭部に上面が平滑なバネ受を設けて一体化するとともに底部に前記各昇降筒より径大の接床キャップを取付け、前記各昇降筒から突出している支脚部分にコイルバネを巻装し、前記コイルバネの上端をバネ受の下面に設け、前記コイルバネの下端を前記昇降筒の上端に係止し、また左右１対の細長板からなる壇板を複数組設け、前記各１対の細長板の内方下面を前記支腕の上端に回動自在に取付け、下端に凸弧面を形成した押しピンを細長板の下面で、かつ前記各バネ受けに対応する位置に垂直に突設し、前記押しピンの下端を前記各バネ受の上面に置き、各細長板の外方下面に高低差を有する外方支脚を前後方向に低い順に間隔をおくとともに回動自在に取付け、前記複数の外方支脚を第３連結材で連結し、少なくとも左右１対の第４連結材の各端部を前記第３連結材および前記支柱若しくは前記昇降筒にそれぞれ回動自在に取付け、前記各細長板の内方および外方下面に次段の細長板同士を連結する第５連結材の各端部を回動自在に取付け、さらに前記各細長板の内端面を下方に行くに従い外向きに切除し、しかも各１対の前記細長板の内端上縁を線接触させることを特徴とするものである。
【０００５】
細長板の折りたたみ時にはキャスターのみが接床する。細長板を展開していく途中で押しピンにより支脚が下げられ、キャスターとともに接床し、さらに細長板を展開していくと支脚が接床しているため昇降筒およびこれと一体のキャスターが浮上する。しかも高低差のある複数の外方支脚を連結する第３連結材と支柱若しくは昇降筒とを第４連結材で、また次段の細長板同士を第５連結材でそれぞれ回動自在に連結するので１回の上・下回動操作で複数段の壇板が容易かつ確実に閉・開する。
【０００６】
【発明の実施の形態】
本発明の実施の形態は幼稚園、保育所等の子供用施設用のもので、添付図面の図１〜図８に示す実施の形態に基いてその構造を詳細に説明する。図１、２で示すように左右１対の細長板１０′、１０′をもって壇板１０を３組設ける。図１、５、８で示すように各細長板１０′、１０′の裏面周囲にアングル１０ｃ、１０ｃを取付けるとともに内方に角筒１０ｄを取付け、各細長板１０′、各アングル１０ｃの内端面１０ａを下方に行くに従い、外方へ約４５度切削するとともに１対の細長板１０′、１０′の内端上縁１０ｂを線接触させる。各角筒１０ｄの裏面内方にヒンジ１７ａ、１７ｂ、１７ｃ、１７ｄ、１７ｅを取付け、前段および後段のヒンジ１７ａ、１７ｅのやや外方に押しピン１１を垂直に突設し、この押しピン１１の下端を半球状若しくは円板に形成するか、下端にボールベアリング若しくはローラベアリングを取付け、つまり押しピン１１の下端に凸弧面１１′を形成し、各細長板１０′を支持構造体Ｘ、Ｙ、Ｚおよび金属パイプ製の外方支脚１２で支持する。
【０００７】
支持構造体Ｘは垂直に起立する左右１対の昇降筒１、１および円筒状の支柱１′、１′を水平な第１連結材２、２′で間隔をおいて結合し、第１連結材２、２′の両端近傍に１対の支腕３、３および１対の支腕３′、３′を上向きかつ垂直に一体的に突設する。各支腕３、３′の上端をヒンジ１７ａ、１７ｂ、１７ｃ、１７ｄ、１７ｅ、各ピン１８を介して細長板１０′の角筒１０ｄに回動自在に取付ける。各昇降筒１に支脚６を垂直に貫通し、この支脚６の頭部に上面が平滑面で、しかも平面が円形のバネ受７を水平に取付け、各支脚６の底部に各昇降筒１より径大の接床キャップ８を取付け、各昇降筒１から突出している支脚部分６′にコイルバネ９を巻装し、コイルバネ９の上端をバネ受７に、下端を昇降筒１の上端に係止し、バネ受７上面に押しピン１１の下端を接触させる。支持構造体Ｚは前記支持構造体Ｘおよび外方支脚１２と高さが異なるが原理的に同一の構成であり、支持構造体Ｙは前記支持構造体Ｘ、Ｚから昇降筒１部分の構造を取り除き、支柱１′、支腕３′の構造を中央に位置させて前記構造を支持構造体Ｘ、Ｚ同様にして細長板１０′を回動自在に支持する。
【０００８】
前後方向に高低差のある左右の昇降筒１、１および支柱１′、１′、１′の下方かつ外側に図２、５で示すようにそれぞれ水平な第２連結材４を固着して連結し、各第２連結材４の前後にヒンジ１９、１９を水平かつ外向きに取付け、各ヒンジ１９にキャスター５を取付ける。なお本実施の形態では前段の細長板１０′の下面に位置する第１連結材２、２′、支腕３、３′の上端の高さ位置は同一であり、後段の細長板１０′の下面に位置する第１連結材２、２′、支腕３、３′上端の高さ位置は同一である。中段の細長板１０′の下面にはその中央に１対の支柱１′を立設し、前記のように支持するものである。
【０００９】
外方支脚１２を左右４本づつ形成し、前段の細長板１０′の前方および後段の細長板１０′の後方、中段の細長板１０′の前後に、それぞれアングル１０ｃ、ヒンジ２０を介して各外方支脚１２を回動自在に取付け、左右の高低差のある各外方支脚１２、１２、１２の下方に第３連結材１３を固着する。
【００１０】
図１、３で示すように各前段と各中段の細長板１０′、１０′および各中段と後段の細長板１０′、１０′の内方および外方にアングル１０ｃ、ヒンジ２１およびピン２２を介してへ字状の第５連結材１５、１５の両端を回動自在に取付け、左右１対の各第３連結材１３と中段の支柱１′とをヒンジ２３、２３′、ピン２４、２４′を介してへ字状の第４連結材１４で回動自動自在に連結する。なおこの第４連結材１４は左右それぞれ２ケづつ用意し、前後の昇降筒１、１に上記手段で回動自在に連結してもよく、左右の第３連結材１３、１３と支柱１′若しくは昇降筒１とを連結する第４連結材１４は少なくとも１本づつでよい。
【００１１】
次に本発明の実施の形態における作用を説明すれば各段の壇板１０の折りたたみ時には図４、６で示すように細長板１０′、１０′が起立しており、各コイルバネ９は伸長し、各支脚６は引き上げられ、各接床キャップ８が各昇降筒１に係止して支脚６は上限の位置にあり、各キャスター５のみが接床している。ここに本発明の多目的ひな壇は支脚６が接床していないので容易に押して所望の位置に移動させればよく、前記作業を極めて迅速にすることができる。
【００１２】
次に第３連結材１３を握持し、下方に回動すれば、図１で示すように各段は第５連結材１５、１５で回動自在に連結されているので、図７の各細長板１０′はピン１８を中心にして回動し、押しピン１１の凸弧面１１′はバネ受７に接触し、続いてバネ受７の表面をすべりつつ、バネ受７を垂直に押し下げ、これにともないバネ受７と一体の支脚６は垂直に下降し、コイルバネ９は収縮しはじめ、やがて支脚６に取付けられた接床キャップ８、キャスター５はともに接床する。
【００１３】
さらに細長板１０′を下げると接床キャップ８が接床しているため、図１の実線、図８で示すように支腕３、３′、第１連結材２、２′、昇降筒１、支柱１′、キャスター５は垂直に引き上げられ、コイルバネ９はさらに収縮する。また細長板１０′は上昇していくピン１８を中心にして回動し、水平に展開する。同様に他方の細長板１０′を展開する。この展開時には図１で示すように各細長板１０′、１０′の内端上縁１０ｂ、１０ｂが線接触するので隙間を生じないものである。また折りたたみ状態から中途状態にして、さらに展開状態へと移る過程において、各外方支脚１２は第３連結材１３で連結されているとともに第３連結材１３と中段の支柱１′とが第４連結材１４に回動自在に取り付けられており、各外方支脚１２はいずれも同時に展開し、接床するものである。ここにキャスター１は離床し、支脚６、外方支脚１２のみが接床し、安定性がよい。
【００１４】
次に壇板１０を折りたたむには、上記と逆の操作をすればよく、第３連結材１３若しくはいずれかの細長板１０′の外端を持ち上げると細長板１０′、１０′の内端面１０ａ、１０ａが垂直であれば、内端面１０ａ、１０ａ同士が衝突しようとするが、図１で示すように内端を切除してあるので、一方の内端は他方の切除部分に突っ込みながらスムーズに回動し、また押しピン１１はバネ受７上を滑りながら傾き、コイルバネ９は伸長し、昇降筒１、支柱１′、キャスター５、支腕３、３′、ピン１８は垂直に下降し、細長板１０′は下降していくピン１８を中心にして上方に回動していく。途中でキャスター５が接地し、さらに細長板１０′を持ち上げるとバネ受７の上面から押しピン１１が離れ、伸長していくコイルバネ９により支脚６は垂直に引き上げられ、これより先は停止したピン１８を中心にして細長板１０′は回動し、やがて完全に起立し、折りたたまれる。このとき図６で示すように支脚６はその接床キャップ８が離床し、接床キャップ８が昇降筒１の下端に係止され、支脚６はこれ以上、上昇することがなく停止するものであり、キャスター５、５のみが接床し、容易に移動させやすい。本実施の形態では壇板１０、１０、１０が複数段、具体的には３段でありながら次の段同士が第５連結材１５で回動自在に連結されているとともに支柱１′、１′、１′の支腕３′、３′、３′によっても各細長板１０′が回動自在に設けられており、各細長板１０′が変形することなく確実かつスムーズに折りたたまれ、しかも複数の外方支脚１２、具体的には４本の外方支脚１２、１２、１２、１２が第３連結材１３で連結されるとともに第３連結材１３が支柱１′に第４連結材１４により回動自在に連結されているので、１回の上げ・下げ作業で複数段の壇板１０、１０、１０を１人でも迅速に閉・開することができる。
【００１５】
【発明の効果】
本発明によれば、階段状の壇板でありながら、１人でも迅速、確実かつ容易に展開および折りたたみ作業することができ、しかも展開時には安定性が良く、折りたたみ時には極めて容易に移動することができる。
【図面の簡単な説明】
【図１】本発明の展開状態を示す正面図である。
【図２】同上の一部切欠き平面図である。
【図３】同上の側面図である。
【図４】本発明の折りたたみ状態を示す正面図である。
【図５】同上の側面図である。
【図６】同上の折りたたみ状態における一部部材を省略した部分拡大断面図である。
【図７】同上の折りたたみ中を示す一部部材を省略した部分拡大断面図である。
【図８】本発明の展開状態における一部部材を省略した部分拡大断面図である。
【図９】従来例の使用状態を示す斜視図である。
【図１０】同上の収納状態を示す斜視図である。
【符号の説明】
１    昇降筒
１′  支柱
２    第１連結材
３    支腕
４    第２連結材
５    キャスター
６    支脚
６′  支脚部分
７    バネ受
８    接床キャップ
９    コイルバネ
１０    壇板
１０′  細長板
１０ａ  内端面
１０ｂ  内端上縁
１１    押しピン
１１′  凸弧面
１２    外方支脚
１３    第３連結材
１４    第４連結材
１５    第５連結材
【図１】
2004176517.tif 000003
【図２】
2004176517.tif 000004
【図３】
2004176517.tif 000005
【図４】
2004176517.tif 000006
【図５】
2004176517.tif 000007
【図６】
2004176517.tif 000008
【図７】
2004176517.tif 000009
【図８】
2004176517.tif 000010
【図９】
2004176517.tif 000011
【図１０】
2004176517.tif 000012